(57)【要約】【課題】液体噴射ヘッドと記録媒体との間の気流を安定させ、画質は劣化することがない液体噴射装置を提供すること。【解決手段】キャリッジ１，１ａ，１ｂ，４２は、キャリッジ１，１ａ，１ｂ，４２と記録媒体６との間であって液体噴射ヘッド７，８近傍の記録媒体対向面に、液体噴射ヘッド７，８と記録媒体６との間に気流Ｋが入り込むことを防止する気流防止手段９９ａ，９９ｂが設けられており、気流防止手段９９ａ，９９ｂは、記録媒体対向面１０１から記録媒体６側へ突出して形成されており、且つ、気流防止手段９９ａ，９９ｂの記録媒体６に対向する面から記録媒体６までの第１の距離Ｌ１が、記録ヘッド７，８のノズル形成面から記録媒体６までの第２の距離Ｌ２とほぼ等しくなるように構成されている。【選択図】図１
2005111716.tif 000002
【特許請求の範囲】
【請求項１】
記録媒体に対して液体を吐出する液体噴射ヘッドと、
前記記録媒体に対面する記録媒体対向面に前記液体噴射ヘッドが設けられたキャリッジと、
前記キャリッジと前記記録媒体とを相対移動させる移動手段と、を備える液体噴射装置であって、
前記キャリッジの記録媒体対向面には、前記液体噴射ヘッドと前記記録媒体との間に気流が入り込むことを防止する気流防止手段が設けられており、
前記気流防止手段は、前記記録媒体対向面から前記記録媒体側へ突出して形成されており、且つ、前記気流防止手段の前記記録媒体に対向する面から前記記録媒体までの第１の距離が、前記記録ヘッドのノズル形成面から前記記録媒体までの第２の距離とほぼ等しくなるように構成されていることを特徴とする液体噴射装置。
【請求項２】
前記気流防止手段は、前記記録媒体対向面における前記キャリッジの外縁又はその近傍から前記液体噴射ヘッドの外縁又はその近傍までに渡り設けられていることを特徴とする請求項１に記載の液体噴射装置。
【請求項３】
記録媒体に対して液体を吐出する液体噴射ヘッドと、
前記記録媒体に対面する記録媒体対向面に前記液体噴射ヘッドが設けられたキャリッジと、
前記キャリッジと前記記録媒体とを相対移動させる移動手段と、を備える液体噴射装置であって、
前記キャリッジには、前記キャリッジと前記記録媒体との間であって前記液体噴射ヘッド近傍の記録媒体対向面に、前記キャリッジと前記記録媒体との間の気流の整流を行う整流手段が設けられており、
前記整流手段は、前記キャリッジと前記記録媒体との相対移動方向に沿って、前記液体噴射ヘッドのノズル形成面の外縁又はその近傍から前記キャリッジの外縁又はその近傍までを結ぶテーパ面を構成していることを特徴とする液体噴射装置。
【請求項４】
前記キャリッジが走査した際に気流が当接する前記キャリッジの気流当接面には、前記キャリッジの走査に伴う気流を制御する気流制御手段が設けられていることを特徴とする請求項１ないし請求項３のいずれかに記載の液体噴射装置。
【発明の詳細な説明】
【技術分野】
【０００１】
本発明は、記録媒体に対して液体を噴射する液体噴射ヘッドを備える液体噴射装置に関するものである。
【背景技術】
【０００２】
インクジェット式記録装置は、キャリッジに記録ヘッドが搭載されており、キャリッジが記録媒体としてのメディアに対してある程度の隙間を保ちながら相対的に走査を行う構成となっている。記録ヘッドは、上述のようにキャリッジと共に記録媒体に対して相対的に走査されつつ、その記録媒体に対してインク滴を噴射する。キャリッジが走査する際には、キャリッジが排除する気流によってキャリッジ周辺において気流の乱れが生ずる。
【０００３】
このようなキャリッジ周辺における気流の乱れは、記録ヘッドとメディアとの間に気流にも影響を与えている。記録ヘッドとメディアとの間の気流は、例えば図６（Ａ）に示すようにキャリッジ１０３がＸ２方向に走査した場合においては、記録ヘッド１０７，１０８近傍において乱流ＲＫが発生し、図６（Ｂ）に示すようにキャリッジ１０３がＸ１方向に走査した場合においても、記録ヘッド１０７，１０８近傍において乱流ＲＫが発生する。
【０００４】
気流の乱れに関する具体的な従来技術としては、キャリッジ自体に、キャリッジ動作方向と反対方向に形成される乱流の発生を抑制するための乱流発生抑制手段としてのリブを配設する技術が存在していた（特許文献１参照）。この従来のインクジェット式記録装置においてリブを設けているのは、リブによってキャリッジ動作方向と反対方向に形成される乱流の発生が抑制され、ノズル開口付近に浮遊するインクミストが舞い上がらず、記録用紙や周辺機構へのインクミストの付着による汚染発生を確実に抑制することができるためである。
【特許文献１】特開２００２−２３４１５２号公報
【発明の開示】
【発明が解決しようとする課題】
【０００５】
ところが、乱流発生抑制手段としてのリブをキャリッジに設けていると、キャリッジが走査した際に、リブと記録用紙との間に位置する気流が記録ヘッドと記録用紙との間に入り込んでしまう。このように記録ヘッドと記録用紙の間に入り込んだ気流は、記録ヘッド近傍を通過した後に記録ヘッド近傍で渦流を生じ、記録ヘッド近傍の気流を不安定にしてしまい、画質を劣化させてしまうおそれがあった。
そこで、本発明の目的は、上記課題を解消して、液体噴射ヘッドと記録媒体との間の気流を安定させ、画質の劣化することがない液体噴射装置を提供することである。
【課題を解決するための手段】
【０００６】
上述の目的は、第１の発明によれば、記録媒体に対して液体を吐出する液体噴射ヘッドと、前記記録媒体に対面する記録媒体対向面に前記液体噴射ヘッドが設けられたキャリッジと、前記キャリッジと前記記録媒体とを相対移動させる移動手段と、を備える液体噴射装置であって、前記キャリッジの記録媒体対向面には、前記液体噴射ヘッドと前記記録媒体との間に気流が入り込むことを防止する気流防止手段が設けられており、前記気流防止手段は、前記記録媒体対向面から前記記録媒体側へ突出して形成されており、且つ、前記気流防止手段から前記記録媒体までの第１の距離が、前記記録ヘッドのノズル形成面から前記記録媒体までの第２の距離とほぼ等しくなるように構成されていることを特徴とする液体噴射装置により、達成される。
上記構成によれば、気流防止手段が、キャリッジの記録媒体対向面において、記録媒体対向面から記録媒体側へ突出して形成されており、且つ、気流防止手段の記録媒体に対向する面から記録媒体までの第１の距離が、液体噴射ヘッドのノズル形成面から記録媒体までの第２の距離とほぼ等しい構成となっている。
このため、キャリッジは、気流防止手段が、第１の距離と第２の距離とがほぼ等しくなるように記録媒体対向面から記録媒体側へ突出して形成されているため、液体噴射ヘッドのノズル形成面と気流防止手段の記録媒体に対向する面とがほぼ一平面状となっており、キャリッジの記録媒体対向面に凹凸が存在しない。このため、液体噴射装置は、キャリッジが走査した際に、その凹凸によって、気流を液体噴射ヘッドと記録媒体との間に巻き込むことがないため、液体噴射ヘッドと記録媒体との間に気流が入り込みにくい構成となっている。従って、液体噴射装置は、液体噴射ヘッドと記録媒体との間の気流を安定させ、画質は劣化することがない。
【０００７】
第２の発明は、第１の発明の構成において、前記気流防止手段は、前記記録媒体対向面における前記キャリッジの外縁又はその近傍から前記液体噴射ヘッドの外縁又はその近傍までに渡り設けられていることを特徴とする。
上記構成によれば、気流防止手段が、記録媒体対向面におけるキャリッジの外縁又はその近傍から液体噴射ヘッドの外縁又はその近傍までに渡り設けられているので、キャリッジは、キャリッジの記録媒体対向面におけるキャリッジの外縁又はその近傍から液体噴射ヘッドの外縁又はその近傍までに渡り凹凸が存在せず、液体噴射ヘッドのノズル面と気流防止手段の記録媒体に対向する面とが一平面状となっている。
従って、液体噴射装置は、キャリッジが走査する際に、キャリッジの記録媒体対向面におけるキャリッジの外縁又はその近傍から液体噴射ヘッドの外縁又はその近傍において、その凹凸によって、気流を液体噴射ヘッドと記録媒体との間に巻き込むことがないため、液体噴射ヘッドと記録媒体との間に気流が入り込みにくい構成となっている。従って、液体噴射装置は、液体噴射ヘッドと記録媒体との間の気流を安定させ、画質は劣化することがない。
【０００８】
上記目的は、第３の発明によれば、記録媒体に対して液体を吐出する液体噴射ヘッドと、前記記録媒体に対面する記録媒体対向面に前記液体噴射ヘッドが設けられたキャリッジと、前記キャリッジと前記記録媒体とを相対移動させる移動手段と、を備える液体噴射装置であって、前記キャリッジには、前記キャリッジと前記記録媒体との間であって前記液体噴射ヘッド近傍の記録媒体対向面に、前記キャリッジと前記記録媒体との間の気流の整流を行う整流手段が設けられており、前記整流手段は、前記キャリッジと前記記録媒体との相対移動方向に沿って、前記液体噴射ヘッドのノズル形成面の外縁又はその近傍から前記キャリッジの外縁又はその近傍までを結ぶテーパ面を構成していることを特徴とする液体噴射装置により、達成される。
上記構成によれば、キャリッジには、キャリッジと記録媒体との間であって液体噴射ヘッド近傍の記録媒体対向面に、キャリッジと記録媒体との間の気流の整流を行う整流手段が設けられており、且つ、整流手段が、キャリッジと記録媒体との相対移動方向に沿って、液体噴射ヘッドのノズル形成面の外縁又はその近傍からキャリッジの外縁又はその近傍までを結ぶテーパ面を構成している。このため、キャリッジが走査した際には、液体噴射ヘッドの風上側の整流手段が、キャリッジと記録媒体との間に位置する気流を滑らかに液体噴射ヘッド近傍に導くと共に、導かれた気流が液体噴射ヘッド近傍を通過した後も、液体噴射ヘッドの風下側の整流手段が滑らかに導くことができる。従って、液体噴射装置は、キャリッジの走査時においても液体噴射ヘッドと記録媒体との間に渦流を生じさせずに安定させ、画質は劣化することがない。
【０００９】
第４の発明は、第１の発明ないし第３の発明のいずれかの構成において、前記キャリッジが走査した際に気流が当接する前記キャリッジの気流当接面には、前記キャリッジの走査に伴う気流を制御する気流制御手段が設けられていることを特徴とする。
上記構成によれば、キャリッジの気流当接面には気流制御手段が設けられているので、この気流制御手段が、気流当接面側におけるキャリッジの走査に伴う気流を制御し、液体噴射ヘッドと記録媒体との間の気流に影響を与えないように導くことができる。従って、液体噴射装置は、さらに液体噴射ヘッドと記録媒体との間の気流を安定させ、さらに画質を向上することができる。
【発明を実施するための最良の形態】
【００１０】
以下、この発明の好適な実施の形態を図面に基づいて説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１１】
＜第１実施形態＞
図１は、本発明の第１実施形態としての液体噴射装置が適用されたインクジェット式記録装置１００の構成例を示す斜視図である。
図示のインクジェット式記録装置１００は、例えば蓋６１により、その内部と外部が仕切られた構成となっている。図１の蓋６１の内部には、記録ヘッド７，８、キャリッジ１、タイミングベルト２、モータ３及びガイド部材４を収容している。このキャリッジ１は、タイミングベルト２に接続されており、モータ３の駆動によるタイミングベルト２の動作に応じて、ガイド部材４に案内されてプラテン５に平行にＸ１，Ｘ２方向に移動するように構成されている。
【００１２】
これらモータ３及びタイミングベルト２は、それぞれキャリッジ１を、記録媒体の一例としての記録用紙６に対してＸ１，Ｘ２方向に沿って少なくとも一方向に走査させる機能を有する。このキャリッジ１のＸ１，Ｘ２方向における動作幅としては、例えば４５ｃｍであり、キャリッジ１の高さは、例えば１５ｃｍである。ここで、キャリッジ１の走査速度としては、例えば５０〜７０ｃｍ／ｓｅｃである。また、インクジェット式記録装置１００におけるキャリッジ１を収容する蓋６１の内部のスペースＳＰの寸法としては、例えばＸ１，Ｘ２方向の幅が６０ｃｍであり、例えば高さが２５ｃｍである。
【００１３】
記録用紙６と対向するキャリッジ１の面（記録媒体対向面）には、印刷領域側（図中、左側）に黒インクを吐出する液体噴射ヘッドの一例としての記録ヘッド７が、また、非印刷領域側にカラー印刷用の記録ヘッド８が搭載されている。各記録ヘッド７，８は、それぞれ黒インクカートリッジ９、カラーインクカートリッジ１０から、インクの供給を受けて記録用紙６に液体の一例としてのインク滴を吐出して印刷するようになっている。これら記録ヘッド７，８は、それぞれ例えばＸ１，Ｘ２方向に垂直なノズルの配列方向に沿って複数の記録ヘッドを配列して構成されている。これら複数の記録ヘッドは、それぞれ印字幅が例えば１インチ（約２．５ｃｍ）である。
【００１４】
キャッピング装置１１は、黒インク用記録ヘッド７を封止するキャップ１２と、カラーインク用記録ヘッド８を封止するキャップ１３を同一のスライダに搭載している。これらキャップ１２及びキャップ１３は、それぞれが単独で駆動可能な２台の吸引ポンプ１４，１５からなるポンプユニット１６にチューブを介して接続されている。これらキャップ１２及びキャップ１３は、それぞれ記録ヘッド７，８のノズル開口面を封止できるサイズを備え、非印字時にはノズル開口を封止する構成となっている。また、これらキャップ１２及びキャップ１３は、それぞれクリーニング処理やインク充填操作時には、ポンプユニット１６の負圧を受けて記録ヘッド７，８からインクを強制的に排出させることができるように構成されている。
【００１５】
そして、キャップ１２，１３は、それぞれキャップ内に排出されてここに残留したインクを、効果的に図示しない廃インクタンクに排出するために、キャリッジ１の移動や、また駆動手段などにより開閉が制御される図示しない大気開放弁を介して大気に連通されている。また、キャッピング装置１１の近傍には、記録ヘッド７，８のノズル開口面を擦過する、ワイピングブレード１７を備えたクリーニングユニット１８が配置されている。
【００１６】
ここで、本発明の第１実施形態において特徴的なことは、キャリッジ１の記録媒体対向面には、記録ヘッド７，８と記録用紙６との間に気流Ｋが入り込むことを防止する気流防止部材９９ａ，９９ｂが設けられている点である。具体的な気流防止部材９９ａ，９９ｂの詳細な構成については後述する。
【００１７】
図２（Ａ）及び図２（Ｂ）は、それぞれ図１に示すキャリッジ１を簡素化して図示した構成例を示す側面図である。
図２（Ａ）に示すようにキャリッジ１の記録媒体対向面１０１は、記録ヘッド７，８が設けられている部分１０１ｂ及び、記録ヘッド７，８が設けられていない部分１０１ａを有する。
【００１８】
記録ヘッド７，８が設けられていない部分１０１ａには、キャリッジ１の相対移動方向の一例としての走査方向であるＸ２方向において記録ヘッド７，８のノズル形成面に対してほぼ水平な面を有する気流防止部材９９ａ，９９ｂが設けられている。尚、気流防止部材９９ａ，９９ｂは、それらの一方のみがキャリッジ１の記録媒体対向面１０１に設けられている構成であっても良いことはいうまでもない。
【００１９】
本発明の第１実施形態において特徴的なことは、気流防止部材９９ａ等が、それぞれ記録媒体対向面１０１から記録用紙６側へ突出して形成されており、且つ、図２（Ｂ）に示すように気流防止部材９９ａ等の記録用紙６に対向する面から記録用紙６までの第１の距離Ｌ１が、記録ヘッド７，８のノズル形成面から記録用紙６までの第２の距離Ｌ２とほぼ等しくなるように構成されていることである。つまり、このような構成の気流防止部材９９ａ等は、その記録用紙６に対向する面が、図示のように記録ヘッド７，８のノズル形成面とほぼ一平面状となっており、キャリッジ１の記録媒体対向面１０１に凹凸が存在しない構成となっている。
【００２０】
また、気流防止部材９９ａ等は、記録媒体対向面１０１におけるキャリッジ１の外縁５３又はその近傍から記録ヘッド７，８の外縁５１又はその近傍までに渡り設けられているのが望ましい。このような構成とすると、気流防止部材９９ａ等が、記録媒体対向面１０１におけるキャリッジ１の外縁５３又はその近傍から記録ヘッド７，８の外縁５１又はその近傍までに渡り設けられているので、キャリッジ１は、その記録媒体対向面１０１におけるキャリッジ１の外縁５３又はその近傍から記録ヘッド７，８の外縁５１又はその近傍までに渡り凹凸が存在せず、記録ヘッド７，８のノズル面と気流防止部材９９ａ等の記録用紙６に対向する面とが一平面状となっている。
このようにすると、第１実施形態におけるインクジェット記録装置は、キャリッジ１が走査する際に、キャリッジ１の記録媒体対向面１０１におけるキャリッジ１の外縁５３又はその近傍から記録ヘッド７，８の外縁５１又はその近傍において、その凹凸によって、気流を記録ヘッド７，８と記録用紙６との間に巻き込むことがないため、記録ヘッド７，８と記録用紙６との間に気流Ｋが入り込みにくい構成となっている。
【００２１】
上記構成を有するキャリッジ１を搭載するインクジェット記録装置１００は以上のような構成であり、次に上記図１及び図２を参照しつつキャリッジ１が走査する様子の一例について説明する。
まず、図１に示すインクジェット式記録装置１００においては、印刷データの受付が可能となった状態で、図示しないホストから印刷信号が入力されると、例えば印刷開始前フラッシング動作を実行する。次に、このインクジェット式記録装置１００では、上記印刷開始前フラッシングの終了後に印刷動作を開始する。
【００２２】
このインクジェット式記録装置１００においては、モータ３が駆動され、モータ３が駆動されることでタイミングベルト２がキャリッジ１を、Ｘ１，Ｘ２方向で往復するように走査させる。ここで、キャリッジ１は、例えば図２（Ａ）に示すように記録用紙６に対して相対的にＸ２方向に走査するように駆動されたものとする。このキャリッジ１には、上述のように記録媒体対向面１０１に記録ヘッド７，８が設けられている。
【００２３】
このようにＸ２方向にキャリッジ１が走査すると、キャリッジ１は、その走査に伴い記録用紙６に対して相対的に気流Ｋが発生する。上述のように気流防止部材９９ａ等は、キャリッジ１と記録用紙６との間であって記録ヘッド７，８近傍の記録媒体対向面１０１におけるキャリッジ１の外縁５３又はその近傍から記録ヘッド７，８の外縁５１又はその近傍までに設けられており、且つ、気流防止部材９９ａ等から記録用紙６までの第１の距離Ｌ１が、記録ヘッド７，８のノズル形成面から記録用紙６までの第２の距離Ｌ２とほぼ等しい構成となっている。
【００２４】
このため、キャリッジ１は、第１の距離Ｌ１と第２の距離Ｌ２とがほぼ等しく記録ヘッド７，８のノズル形成面と気流防止部材９９ａ等の記録用紙６に対面する面とがほぼ一平面状となっていることから、例えば記録媒体対向面におけるキャリッジ１の外縁５３又はその近傍から記録ヘッド７，８の外縁５１又はその近傍までに渡り凹凸が存在しない。このため、インクジェット記録装置１００は、キャリッジ１が走査する際に、その凹凸によって、気流を記録ヘッド７，８と記録用紙６との間に巻き込むことがないため、記録ヘッド７，８と記録用紙６との間に気流Ｋが入り込みにくい構成となっている。従って、インクジェット記録装置１００は、記録ヘッド７，８と記録用紙６との間の気流を安定させ、画質は劣化することがない。
【００２５】
一方、図２（Ｂ）に示すようにキャリッジ１がＸ１方向に走査する場合においても、気流防止部材９９ａ等の存在によって、記録ヘッド７，８と記録用紙６との間に気流が入り込みにくくなり、記録ヘッド７，８近傍の気流Ｋを安定化させることができる。
従って、本発明の第１実施形態によれば、インクジェット記録装置１００は、記録ヘッド７，８と記録用紙６との間の気流を安定させ、画質は劣化することがない。
【００２６】
＜第２実施形態＞
図３は、本発明の第２実施形態としての液体噴射装置が適用されたインクジェット記録装置のキャリッジ１ａの構成例を示す側面図である。
第２実施形態におけるインクジェット記録装置では、図１及び図２において第１実施形態としてのインクジェット記録装置１００と同一の符号を付した箇所はほぼ同じ構成であるから、同一の構成は図１及び図２と共通の符号を用いてその説明を省略し、異なる点を中心として説明する。
【００２７】
第２実施形態におけるインクジェット記録装置では、第１実施形態における図２のキャリッジ１の構成とは、そのキャリッジ１ａが走査した際に気流Ｋが当接する気流当接面の一例としての側面Ｓ１，Ｓ２にそれぞれ気流制御部材１９９ａ，１９９ｂが設けられている点が異なっている。尚、気流制御部材１９９ａ，１９９ｂは、それぞれ側面Ｓ１，Ｓ２に設けられている代わりに、キャリッジ１の走査方向に応じて一方のみが設けられている構成であってもよいことはいうまでもない。
【００２８】
このキャリッジ１ａにおいては、図３（Ａ）に示すように気流制御部材１９９ａにテーパ面１８８ａが形成されており、気流制御部材１９９ｂにテーパ面１８８ｂが形成されている。これらのテーパ面１８８ａ，１８８ｂは、それぞれキャリッジ１ａの走査に伴う気流Ｋをキャリッジ１ａの上部に導き、キャリッジ１ａがＸ２方向に走査した場合や図３（Ｂ）に示すようにＸ１方向に走査した場合に、記録ヘッド７，８と記録用紙６との間に気流Ｋが入り込むことを防止するためのものである。
【００２９】
本発明の第２実施形態によれば、第１実施形態とほぼ同様の効果を発揮することができるとともに、これに加えて、キャリッジ１ａの側面Ｓ１等には気流制御部材１９９ａ等が設けられているので、この気流制御部材１９９ａ等が、その側面Ｓ１等側におけるキャリッジ１ａの走査に伴う気流Ｋを制御し、記録ヘッド７，８と記録用紙６との間の気流に影響を与えないようにすることができる。従って、第２実施形態におけるインクジェット記録装置は、第１実施形態よりもさらに、画質は劣化することがない。
【００３０】
＜第３実施形態＞
図４は、本発明の第３実施形態としての液体噴射装置が適用されたインクジェット記録装置のキャリッジ１ｂの構成例を示す平面図である。
第３実施形態におけるインクジェット記録装置では、図１〜図２において第１実施形態としてのインクジェット記録装置１００と、図３において第２実施形態としてのインクジェット記録装置と、同一の符号を付した箇所はほぼ同じ構成であるから、同一の構成は図１〜図３と共通の符号を用いてその説明を省略し、異なる点を中心として説明する。
【００３１】
第３実施形態におけるインクジェット記録装置では、第１実施形態におけるキャリッジ１の気流防止部材の代わりに、図４（Ａ）や図４（Ｂ）に示す整流手段の一例としての整流部材９９ｃ，９９ｄが設けられている点が異なっている。つまり、キャリッジ１ｂには、キャリッジ１ｂと記録用紙６との間であって記録ヘッド７，８近傍の記録媒体対向面に、キャリッジ１ｂ近傍の気流Ｋの整流を行う整流部材９９ｃ，９９ｄが設けられている。そして、これら整流部材９９ｃ，９９ｄは、それぞれキャリッジ１ｂの走査方向に沿って、記録ヘッド７，８のノズル形成面の外縁５１又はその近傍からキャリッジ１ｂの外縁５３又はその近傍までを結ぶテーパ面を構成している。
【００３２】
第３実施形態におけるインクジェット記録装置は以上のような構成であり、次にその動作例について説明する。
まず、図４（Ａ）に示すようにキャリッジ１ｂがＸ２方向に走査した際には、記録ヘッド７，８の風上側の整流部材９９ｄが、キャリッジ１ｂと記録用紙６との間に位置する気流Ｋを滑らかに記録ヘッド７，８近傍に導くと共に、導かれた気流Ｋが記録ヘッド７，８近傍を通過した後も、記録ヘッド７，８の風下側の整流部材９９ｃが滑らかに導くことができることから、記録ヘッド７，８近傍で渦流を生じさせないようにすることができる。
【００３３】
一方、図４（Ｂ）に示すようにキャリッジ１ｂがＸ１方向に走査した際には、記録ヘッド７，８の風上側の整流部材９９ｃが、キャリッジ１ｂと記録用紙６との間に位置する気流Ｋを滑らかに記録ヘッド７，８近傍に導くと共に、導かれた気流Ｋが記録ヘッド７，８近傍を通過した後も、記録ヘッド７，８の風下側の整流部材９９ｄが滑らかに導くことができることから、記録ヘッド７，８近傍で渦流を生じさせないようにすることができる。
【００３４】
本発明の第３実施形態によれば、キャリッジ１ｂの走査時においても記録ヘッド７，８と記録用紙６との間の気流Ｋを渦流とせずに安定させ、画質は劣化することがない。
【００３５】
＜変形例＞
上記実施形態は、図１に示すいわゆるオンキャリッジタイプのインクジェット式記録装置のみならず、図５に示すいわゆるオフキャリッジタイプの液体噴射装置の一例としてのインクジェット式記録装置１１０にも適用することができる。
このインクジェット式記録装置１１０においては、被記録物を跨ぐように往復運動するキャリッジ４２、キャリッジ４２に載置されていて複数色のインクを被記録物に対して噴射して記録、書込みまたは印刷を行う記録ヘッド４４、互いに異なる色のインクを保持する複数のカートリッジ４５、及び液体導通材１０２を備える。キャリッジ４２は、図示しないモータによって、ガイドシャフト４８に沿って往復移動される。
【００３６】
カートリッジ４５は、キャリッジ４２ではなく、インクジェット式記録装置１１０本体に固定されている。このキャリッジ４２の記録媒体対向面には、それぞれ上述した機能と同様の機能を発揮する気流防止部材９９ａ（９９），９９ｂ（９９）が設けられている。尚、気流防止部材９９ａ等は、上記実施形態と同様に、いずれか一方のみが設けられている構成であっても良いことはいうまでもない。液体導通材１０２は、長尺状であり、可撓性材料（例えば熱可塑性エラストマ）で形成されている。
【００３７】
液体導通材１０２は、所要数（本形態では複数）の流路を有しており、往復運動する記録ヘッド４４に対し、複数のカートリッジ４５のそれぞれが保持する複数色のインクを供給する。記録ヘッド４４は、液体噴射領域すなわち記録ヘッド４４の移動経路の下にある被記録物６に対し、インクを噴射して記録、書込み又は印刷を行う。ここでカートリッジ４５が保持する複数色のインクは、図示しない固定流路により、カートリッジ４５から液体導通材１０２の一端まで供給されている。
【００３８】
このいわゆるオフキャリッジタイプのインクジェット式記録装置１１０においては、気流防止部材９９ａ等をキャリッジ４２に設ける形態のみならず、さらに、キャリッジ４２に、上記実施形態における図３に示すような気流制御部材１９９ａ等を設けた形態であっても良いことはいうまでもない。
また、この変形例においては、気流防止部材９９ｂ等の代わりに、図４（Ａ）等に示すような整流部材９９ｃ等を設けても良いことはいうまでもない。また、さらに、この変形例においては、キャリッジ４２の気流当接面の一例としての側面に、図３（Ａ）等に示すような気流制御部材１９９ａ等を設けても良いことはいうまでもない。
【００３９】
本発明は、上記実施の形態に限定されず、特許請求の範囲を逸脱しない範囲で種々の変更を行うことができる。例えば上記実施形態の各構成は、その一部を省略したり、上記とは異なるように任意に組み合わせることができる。また、移動手段の一例としての上記モータやタイミングベルトは、記録用紙に対してキャリッジを移動させることのみならず、例えば記録用紙の幅に対応させた記録ヘッドを有するラインヘッドなどのように、キャリッジを固定して記録用紙だけを移動させるようにしても良いことはいうまでもない。つまり、これらの移動手段は、キャリッジと記録用紙とを相対移動させるようになっている。
【図面の簡単な説明】
【００４０】
【図１】本発明の第１実施形態としてのインクジェット記録装置の構成例を示す斜視図。
【図２】図１に示すキャリッジを簡素化して図示した構成例を示す側面図。
【図３】インクジェット記録装置のキャリッジの構成例を示す側面図。
【図４】インクジェット記録装置のキャリッジの構成例を示す側面図。
【図５】本発明の実施形態の変形例を示すインクジェット式記録装置を側面から見た場合の構成例を示す斜視図。
【図６】従来のインクジェット記録装置のキャリッジの構成例を示す側面図。
【符号の説明】
【００４１】
１・・・キャリッジ、２・・・タイミングベルト（移動手段）、３・・・モータ（移動手段）、６・・・記録用紙（記録媒体）、７，８・・・記録ヘッド（液体噴射ヘッド）、３７・・・バルブ、３８・・・バルブ制御手段（噴射切替手段、吸引切替手段）、３９・・・検出手段（速度検出手段、走査方向検出手段）、４２・・・キャリッジ、４４・・・記録ヘッド（液体噴射ヘッド）、５１・・・記録ヘッドの外縁、５２・・・記録ヘッドのほぼ外縁（記録媒体対向面における液体噴射ヘッドの外縁）、５３・・・キャリッジの外縁、５４・・・テーパ面、９９，９９ａ，９９ｂ・・・気流防止部材（気流防止手段）、９９ｃ，９９ｄ・・・整流部材（整流手段）、１００，１１０・・・インクジェット式記録装置（液体噴射装置）、１０１・・・記録媒体対向面、１０１ａ，１０１ｂ・・キャリッジの記録媒体対向面における液体噴射ヘッドが設けられていない部分、Ｋ・・・キャリッジの走査に伴う気流、Ｌ１・・・第１の距離、Ｌ２・・・第２の距離、ＳＫ・・・整流用気流、Ｓ１，Ｓ２・・・側面（気流当接面）、Ｘ１，Ｘ２・・・走査方向（走査方向）
【図１】
2005111716.tif 000003
【図２】
2005111716.tif 000004
【図３】
2005111716.tif 000005
【図４】
2005111716.tif 000006
【図５】
2005111716.tif 000007
【図６】
2005111716.tif 000008